(57)【要約】  任意の数の特性を含むことができるヒストトリプシ治療用変換器が提供される。一部の実施形態では、変換器は、ヒストトリプシエネルギーを、会陰ウィンドウを通して前立腺に向けるようにサイズ設定および構成される。ヒストトリプシ治療用変換器は、経直腸式撮像用探触子を収容するために変換器の周囲の近くに切り欠きまたは開口部を含むことができる。治療用変換器の切り欠きまたは開口部により、撮像用探触子による接触または干渉なしに撮像用探触子に対して治療の動きが可能になる。一部の実施形態では、変換器は「ハート形」または丸形とすることができる。使用方法も説明する。【選択図】図２
2015506226.tif 000002
【特許請求の範囲】
【請求項１】
患者の会陰ウィンドウを通して前立腺を治療するための超音波治療システムにおいて、
前記患者の会陰に隣接して位置決めされるとともに前記前立腺に焦点を当てるときに前記会陰ウィンドウの骨によって最小限にしかブロックされない超音波パルスを生成するようにサイズ設定および構成された超音波治療用変換器であって、前記超音波治療用変換器の外周部に沿ってまたはその近くに配設された開口部を含む、超音波治療用変換器と、
前記超音波治療用変換器の前記開口部に配設された経直腸式撮像用変換器と
を備える超音波治療システム。
【請求項２】
請求項１に記載の超音波治療システムにおいて、前記治療用変換器は、直径が８０ｍｍから１８０ｍｍの範囲にあり、焦点距離が７０ｍｍから１５０ｍｍの範囲にあり、Ｆ値が１．２未満である、超音波治療システム。
【請求項３】
請求項１に記載の超音波治療システムにおいて、前記超音波治療用変換器の前記開口部が、丸形、半円形、正方形、矩形、三角形、および平板形からなる群から選択された形状を有する、超音波治療システム。
【請求項４】
請求項１に記載の超音波治療システムにおいて、前記超音波治療用変換器の前記開口部が、前記経直腸式撮像用変換器に干渉することなく、前記超音波パルスの治療焦点を前記前立腺の全領域に位置決めする前記超音波治療用変換器の動きに対応するように構成されている、超音波治療システム。
【請求項５】
請求項１に記載の超音波治療システムにおいて、前記超音波治療用変換器が、「ハート形」の変換器を備え、前記会陰の後方部分に設置されるように適合された広幅の端部と、前記会陰の前方部分に設置されるように適合された細い端部とを有し、前記超音波治療用変換器の前記開口部が、前記超音波治療用変換器の前記広幅の端部に配設される、超音波治療システム。
【請求項６】
請求項１に記載の超音波治療システムにおいて、前記超音波治療用変換器が単一の超音波変換器素子を備える、超音波治療システム。
【請求項７】
請求項１に記載の超音波治療システムにおいて、前記超音波治療用変換器が複数の超音波変換器素子を備える、超音波治療システム。
【請求項８】
請求項７に記載の超音波治療システムにおいて、前記複数の超音波変換器素子が丸形である、超音波治療システム。
【請求項９】
請求項７に記載の超音波治療システムにおいて、前記複数の超音波変換器素子が六角形である、超音波治療システム。
【請求項１０】
請求項１に記載の超音波治療システムにおいて、前記経直腸式撮像用変換器が、遠位セクションと、前記遠位セクションに隣接する中間セクションとを備え、前記遠位セクションの第１の直径が前記中間セクションの第２の直径よりも大きい、超音波治療システム。
【請求項１１】
請求項１０に記載の超音波治療システムにおいて、前記経直腸式撮像用変換器がさらに、前記中間セクションに隣接する近位セクションを備え、前記近位セクションの第３の直径が前記中間セクションの第２の直径よりも大きい、超音波治療システム。
【請求項１２】
請求項１０に記載の超音波治療システムにおいて、前記第１の直径が２０ｍｍ以下である、超音波治療システム。
【請求項１３】
請求項１０に記載の超音波治療システムにおいて、前記第２の直径が１２ｍｍ以下である、超音波治療システム。
【請求項１４】
請求項１０に記載の超音波治療システムにおいて、前記第１の直径が１５ｍｍから２０ｍｍの範囲にあり、前記第２の直径が６ｍｍから１２ｍｍの範囲にある、超音波治療システム。
【請求項１５】
請求項１１に記載の超音波治療システムにおいて、前記第１の直径および前記第３の直径が１５ｍｍから２０ｍｍの範囲にあり、前記第２の直径が６ｍｍから１２ｍｍの範囲にある、超音波治療システム。
【請求項１６】
請求項１に記載の超音波治療システムにおいて、前記超音波治療用変換器が、前記超音波治療用変換器の焦点ゾーンで前記前立腺内にキャビテーションマイクロ気泡を形成するヒストトリプシ治療パルスを送達して表面組織または介在する組織にダメージを与えることなしに前立腺組織を機械的に分断するように構成されている、超音波治療システム。
【請求項１７】
ヒストトリプシ治療によって患者の会陰ウィンドウを通して前立腺を治療する方法において、
超音波治療用変換器を前記患者の会陰に隣接するように位置決めするステップと、
経直腸式撮像用探触子を前記患者の直腸内に位置決めするステップであって、前記経直腸式撮像用探触子が前記超音波治療用変換器の開口部によって受容される、位置決めするステップと、
前記撮像用探触子からの干渉なしに、前記撮像用探触子に対する前記超音波治療用変換器の直線位置、パン位置、またはチルト位置を調節するステップと、
前記撮像用探触子による前記前立腺の超音波画像を獲得するステップと、
前記前立腺を治療するために前記前立腺に焦点を当てるときに前記会陰ウィンドウの骨によって最小限にしかブロックされないヒストトリプシパルスを生成するステップと
を含む方法。
【請求項１８】
請求項１７に記載の方法において、ヒストトリプシパルスを生成するステップが、デューティサイクルが５％未満で短い（＜２０μ秒）高圧（ピーク負圧＞１０ＭＰａ）衝撃超音波パルスを生成するステップを含む、方法。
【発明の詳細な説明】
【技術分野】
【０００１】
関連出願の相互参照
[0001]本願は、米国特許法第１１９条の下で、２０１２年１月６日出願の「Ｈｉｓｔｏｔｒｉｐｓｙ  Ｔｈｅｒａｐｙ  Ｔｒａｎｓｄｕｃｅｒ」と題する米国仮特許出願第６１／５８３，９２５号の利益を主張するものであり、その出願は本明細書に全体が記載されたものとして参照により引用する。
参照による引用
[0002]本明細書で言及する公報および特許出願は全て、個別の各公報または特許出願が参照により引用されることが明確に個別に示されているものとして、同じ範囲にわたって本明細書に参照により引用される。
【０００２】
[0003]本開示は、概して、治療用の超音波を組織に印加することに関する。より詳細には、本開示は、ヒストトリプシ（Ｈｉｓｔｏｔｒｉｐｓｙ）治療を組織に行うのによく適した変換器の設計に関する。
【背景技術】
【０００３】
[0004]ヒストトリプシとは、強力集束音響エネルギーを印加して細胞組織をホモジナイズするものである。ヒストトリプシの強力集束超音波は、ターゲット組織内に音響キャビテーションを誘発するようにパルス化される。音響キャビテーションは、加圧から希薄化への急速な循環によりキャビテーションマイクロ気泡が形成されるときに起こり、そのマイクロ気泡が振動し崩壊して、極めて大きいエネルギーがストレスおよび圧力として激しく放出される。その結果生じる「気泡クラウド（ｂｕｂｂｌｅ  ｃｌｏｕｄ）」が組織を完全にホモジナイズする。
【０００４】
[0005]外部の集束超音波変換器から組織の層を通して効果的な気泡クラウドを生成するためには、変換器によって生じる圧力は非常に高くなければならない。高い圧力は組織による減衰および非線形性を克服するのに必要である。水と比較すると、平均的な組織は１ＭＨｚで音波を０．８ｄｂ／ｃｍ減衰させる。様々な組織における異なる減衰により非線形性が生じる。ターゲット焦点において組織をホモジナイズするのに十分なエネルギーを有する気泡クラウドを生成するためには、変換器は、減衰させる軟組織の層を通して非常に高い圧力のパルスを送達することが可能でなければならない。一部の臨床上の適用例では、ホモジナイズのターゲットになる組織は、介在する組織内の深いところにあり、音響の経路は、音響エネルギーの伝達を完全にブロックする、骨または撮像用探触子などの手術器具によって妨げられることがある。これが起きるときは、高エネルギーの（ｅｎｅｒｇｅｔｉｃ）気泡クラウドを開始および持続させるのに必要な圧力では十分ではない。「Ｌｅｓｉｏｎ  Ｇｅｎｅｒａｔｉｏｎ  Ｔｈｒｏｕｇｈ  Ｂｏｎｅ  Ｕｓｉｎｇ  Ｈｉｓｔｏｔｒｉｐｓｙ  Ｔｈｅｒａｐｙ  Ｗｉｔｈｏｕｔ  Ａｂｅｒｒａｔｉｏｎ  Ｃｏｒｒｅｃｔｉｏｎ」と題する米国特許出願第１３／５７０，７０８号の教示によれば、ヒストトリプシ音響パルスの骨による収差は、パルス強度を上昇させることによって補償することができる。それにも関わらず、骨によるエネルギーのブロックまたは器具によるブロックは、治療用変換器の効率を低下させ、補償するためにエネルギーレベルを上昇させると、ターゲットの焦点において組織および皮膚表面とターゲット組織との間に介在する組織に望ましくない加熱が起きるおそれがある。
【発明の概要】
【発明が解決しようとする課題】
【０００５】
[0006]以下で説明する解決策は、強力集束超音波治療（ＨＩＦＵ）システムの治療用変換器の設計および設計方法にも適用される。ＨＩＦＵでは、目標の焦点にある組織を加熱することが目的である。しかし、デューティサイクルが、したがって、送達されるエネルギー量がヒストトリプシよりもずっと高いので、骨によるブロックが非常に大きい問題である。骨と軟組織との境界面でＨＩＦＵ音響パルスがブロックされると、骨および隣接する軟組織に熱傷を引き起こすおそれがある。
【０００６】
[0007]Ｕｎｉｖｅｒｓｉｔｙ  ｏｆ  Ｍｉｃｈｉｇａｎ（Ｕ  ｏｆ  Ｍ）の科学者らが行うイヌの研究では、ヒストトリプシは前立腺組織をホモジナイズするのに効果的であると示されている。それらの研究では、ヒストトリプシ治療用変換器は前立腺をターゲットにするように腹部を通して焦点を当てた。前立腺が恥骨の下にあって変換器からの音響エネルギーが完全にブロックされるので、経腹壁式アプローチはヒトには機能しない。前立腺の非侵襲性ヒストトリプシ治療のためのより大きい開口部が会陰ウィンドウ（ｐｅｒｉｎｅａｌ  ｗｉｎｄｏｗ）を通して設けられている。会陰ウィンドウにより、それを通して治療するためにより大きい開口径が設けられるが、音エネルギーはターゲットからの距離と共に低下する。変換器からのその距離は、イヌの経腹壁式アプローチと比較して経会陰式アプローチでは著しく遠い。会陰ウィンドウは、後方の尾骨、前方の恥骨弓、および側方の腸骨など、骨盤の底部にある骨がフレームになっている。
【０００７】
[0008]さらに、ヒストトリプシは、音響の伝達に干渉することがある直腸内への撮像用探触子の設置による超音波撮像によってガイドされ、可能性のある変換器のサイズ（直径）を物理的に制限し、治療用変換器の位置を前方に押しやって前方の骨盤の骨による音響のブロックをさらに大きくする。骨盤の骨および撮像用探触子は、音波をブロックするので、音の転送に利用できるウィンドウを画定する際の制限因子である。十分な音エネルギーがこの開口を通って前立腺にキャビテーションを起こすためには、サイズ、形状、および向きについて変換器を最適化させる必要がある。そのために、本出願人らは、設計方法を開発し特別仕様の変換器を設計している。それらを以下で詳細に説明する。
【課題を解決するための手段】
【０００８】
[0009]患者の会陰ウィンドウを通して前立腺を治療するための超音波治療システムにおいて、患者の会陰に隣接して位置決めされるとともに前立腺に焦点を当てるときに会陰ウィンドウの骨によって最小限にしかブロックされない超音波パルスを生成するようにサイズ設定および構成された超音波治療用変換器であって、超音波治療用変換器の外周部に沿ってまたはその近くに配設された開口部を含む、超音波治療用変換器と、超音波治療用変換器の開口部に配設された経直腸式撮像用変換器とを備える、超音波治療システムが提供される。
【０００９】
[00010]一部の実施形態では、治療用変換器は、直径が８０ｍｍから１８０ｍｍの範囲にあり、焦点距離が７０ｍｍから１５０ｍｍの範囲にあり、Ｆ値が１．２未満である。
[00011]一実施形態では、超音波治療用変換器の開口部は、丸形の、半円形、正方形、矩形、三角形、および平板形からなる群から選択された形状を有する。
【００１０】
[00012]別の実施形態では、超音波治療用変換器の開口部は、経直腸式撮像用変換器に干渉することなく、超音波パルスの治療焦点を前立腺の全領域に位置決めするように超音波治療用変換器の動きに対応するように構成されている。
【００１１】
[00013]別の実施形態では、超音波治療用変換器は、「ハート形」の変換器を備え、前記会陰の後方部分に設置されるように適合された広幅の端部と、会陰の前方部分に設置されるように適合された細い端部とを有し、超音波治療用変換器の開口部が、超音波治療用変換器の広幅の端部に配設される。
【００１２】
[00014]一実施形態では、超音波治療用変換器は単一の超音波変換器素子を備える。
[00015]別の実施形態では、超音波治療用変換器は複数の超音波変換器素子を備える。一部の実施形態では、複数の超音波変換器素子は丸形のである。別の実施形態では、複数の超音波変換器素子は六角形である。
【００１３】
[00016]一実施形態では、経直腸式撮像用変換器は、遠位セクションと、遠位セクションの最も近くにある（隣接する）中間セクションとを備え、遠位セクションの第１の直径が中間セクションの第２の直径よりも大きい。別の実施形態では、経直腸式撮像用変換器はさらに、中間セクションの最も近くに（隣接する）近位セクションを備え、近位セクションの第３の直径が中間セクションの第２の直径よりも大きい。
【００１４】
[00017]一部の実施形態では、第１の直径は２０ｍｍ以下である。別の実施形態では、第２の直径は１２ｍｍ以下である。代替の実施形態では、第１の直径は１５ｍｍから２０ｍｍの範囲にあり、第２の直径は６ｍｍから１２ｍｍの範囲にある。一実施形態では、第１の直径および第３の直径は１５ｍｍから２０ｍｍの範囲にあり、第２の直径は６ｍｍから１２ｍｍの範囲にある。
【００１５】
[00018]一部の実施形態では、超音波治療用変換器は、超音波治療用変換器の焦点ゾーンで前立腺内にキャビテーションマイクロ気泡を形成するヒストトリプシ治療パルスを送達して表面組織または介在する組織にダメージを与えることなしに前立腺組織を機械的に分断するように構成されている。
【００１６】
[00019]ヒストトリプシ治療によって患者の会陰ウィンドウを通して前立腺を治療する方法において、超音波治療用変換器を患者の会陰に隣接するように位置決めするステップと、経直腸式撮像用探触子を患者の直腸内に位置決めするステップであって、経直腸式撮像用探触子が超音波治療用変換器の開口部によって受容される、位置決めするステップと、撮像用探触子からの干渉なしに撮像用探触子に対する超音波治療用変換器の直線位置、パン位置、またはチルト位置を調節するステップと、撮像用探触子による前立腺の超音波画像を獲得するステップと、前立腺を治療するために前立腺に焦点を当てるときに会陰ウィンドウの骨によって最小限にしかブロックされないヒストトリプシパルスを生成するステップとを含む方法も提供される。
【００１７】
[00020]一部の実施形態では、ヒストトリプシパルスを生成するステップは、デューティサイクルが５％未満で短い（＜２０μ秒）高圧（ピーク負圧＞１０ＭＰａ）衝撃波超音波パルスを生成するステップを含む。
【００１８】
[00021]本発明の新規の特性は、詳細には以下の特許請求の範囲に記載されている。本発明のそれらの特性および利点は、本発明の原理を利用した例示の実施形態を示す以下の詳細な説明および添付の図面を参照することによってより良く理解されるであろう。
【図面の簡単な説明】
【００１９】
【図１】[00022]前立腺に向けられた治療用変換器および患者の直腸内に位置決めされた撮像用探触子のＣＴスキャンの図である。
【図２】[00023]治療用変換器の概略図である。
【図３】[00024]外側に前立腺から会陰ウィンドウを通って投影した変換器の形状の３Ｄ映像の図である。
【図４】[00025]変換器の設計の一実施形態の図である。
【図５】[00026]撮像用探触子のための切り抜き部を有する別の変換器の設計の図である。
【図６】[00027]図６Ａは複数の素子を有する治療用変換器の一構成を例示する図である。図６Ｂは複数の素子を有する治療用変換器の一構成を例示する図である。図６Ｃは複数の素子を有する治療用変換器の一構成を例示する図である。
【図７】[00028]治療用変換器の別の実施形態の図である。
【図８】[00029]撮像用探触子のための切り抜き部を有する治療用変換器の一実施形態を例示する図である。
【図９】[00030]治療用変換器の別の実施形態を示す図である。
【図１０】[00031]図１０Ａは治療用変換器の別の実施形態を示す図である。図１０Ｂは治療用変換器の別の実施形態を示す図である。図１０Ｃは治療用変換器の別の実施形態を示す図である。
【図１１】[00032]図１１Ａは３つの異なる深さにおける前立腺内の４つのターゲットを例示する図である。図１１Ｂは３つの異なる深さにおける前立腺内の４つのターゲットを例示する図である。
【図１２】[00033]前立腺モデル内の１２箇所の位置からの音響上の伝達ブロックの概要を示す表である。
【図１３】[00034]治療用変換器の別の実施形態を示す図である。
【図１４】[00035]撮像用探触子の実施形態を２つ例示する図である。
【図１５】[00036]治療用変換器の実施形態を３つ示す図である。
【図１６】[00037]様々な検体の個別の７点に関してブロック率の結果を示す図である。
【図１７Ａ】[00038]移動機構を用いて撮像用変換器に対して治療用変換器をどのように移動できるかを例示する図である。
【図１７Ｂ】移動機構を用いて撮像用変換器に対して治療用変換器をどのように移動できるかを例示する図である。
【図１７Ｃ】移動機構を用いて撮像用変換器に対して治療用変換器をどのように移動できるかを例示する図である。
【図１７Ｄ】移動機構を用いて撮像用変換器に対して治療用変換器をどのように移動できるかを例示する図である。
【図１７Ｅ】移動機構を用いて撮像用変換器に対して治療用変換器をどのように移動できるかを例示する図である。
【図１７Ｆ】移動機構を用いて撮像用変換器に対して治療用変換器をどのように移動できるかを例示する図である。
【図１７Ｇ】移動機構を用いて撮像用変換器に対して治療用変換器をどのように移動できるかを例示する図である。
【発明を実施するための形態】
【００２０】
[00039]ヒストトリプシ治療は、男性患者の前立腺組織の治療によく適している。ヒストトリプシによる前立腺の治療は、会陰ウィンドウを含む前立腺の特定の解剖学的構造のためにヒストトリプシ変換器の設計を最適化することによって改善することができる。会陰ウィンドウを通した前立腺の非侵襲性治療のための最適の治療用変換器を設計するために、一連の死体のＣＴスキャンから、経直腸式超音波撮像用探触子が適位置にある骨盤の骨（尾骨、恥骨弓、腸骨、および仙骨）をモデリングした。次いで、会陰ウィンドウを前立腺から治療用変換器の位置に向かって逆投影した。この方法は、前立腺のどの面に集束したときにも最小限にしかブロックされないヒストトリプシパルスを生成できる最適な形状の変換器を設計するために用いた。
【００２１】
[00040]逆投影モデリングからの重要な教訓は、経直腸式撮像用探触子が変換器を前方に押しやり、その結果前方の骨盤の骨による音響上のブロックがひどくなったという、経直腸式撮像用探触子による干渉である。設計に関して考慮すべき他の点は治療用変換器のＦ値であった。Ｆ値は、焦点距離を口径（有効直径）で除算した値として定義される。焦点距離は、前立腺全体を治療するのに十分に長くすべきであり、口径は、焦点に有効なエネルギーを送達するのに十分に大きくすべきである。焦点の手前の組織が加熱される可能性が指数関数的にＦ値に比例することに留意することが重要である。その結果、設計の主要な目的は、最低限のＦ値を念頭に置いて、骨および撮像用探触子による音響上のブロックがＦ値を効果的に下げる治療用変換器を設計することである。
【００２２】
[00041]最適の前立腺ヒストトリプシ治療用変換器を判定するために様々な実験を行った。超音波治療用変換器１００および経直腸式撮像用探触子１０２による男性の死体検体５体のＣＴスキャンを得た。その研究の特定の目標は、撮像用探触子の設置の影響、前立腺の平均的な体積、会陰ウィンドウの平均的な形状および最小の形状、治療用変換器から前立腺の頂点までの距離、ならびに治療用変換器から膀胱頚部までの距離を判定することである。
【００２３】
[00042]本開示は、減衰の影響を補償するために変換器の出力変調以外に補正機能を加えることなしに、収差を起こす肋骨または骨を通した、損傷を発生させるヒストトリプシ治療の使用を説明する。図１の超音波治療用変換器１００は、ヒストトリプシ治療を組織に送達するためにヒストトリプシパルスを生成するように構成することができる。ヒストトリプシは、制御されたキャビテーション気泡クラウドを使用して、機械的な組織の分別を誘発する。ヒストトリプシ気泡クラウドは、熱の影響を最小限に抑えながら、デューティサイクルが低い、典型的には５％未満の、短い（＜２０μ秒）高圧（ピーク負圧＞１０ＭＰａ）衝撃超音波パルスを用いて定義されるヒストトリプシ変換器によって、ヒストトリプシエネルギーを組織に送達させることによって生成することができる。キャビテーションする気泡クラウドの高いエコー発生性に基づいて、従来のどの超音波撮像システムを用いても、治療をリアルタイムで容易にモニタリングして、キャビテーション気泡クラウドが発生しているかどうかを操作者が確認することもできる。
【００２４】
[00043]ヒストトリプシ治療による組織の分別の影響は、キャビテーション気泡クラウドが開始されるある一定の閾値レベルを、焦点圧力が超えるときに起きる。その閾値の仕組みに基づいて、圧力の主なビームがその形状を維持し気泡クラウド開始閾値を超える場合は、肋骨または骨を通して正確な損傷を発生させるようにヒストトリプシ治療を制御することができ、骨が通気することによる二次的なローブは、閾値より低いままであり、したがって、キャビテーション気泡クラウドを開始させない。
【００２５】
[00044]やはり図１を参照すると、超音波治療用変換器１００が会陰に位置決めされ、経直腸式撮像用探触子１０２が直腸に挿入され、次いで、それらはＣＴ走査機に設置される。５体の死体検体のＣＴスキャンのデータにより、前立腺の体積内の位置から骨盤の骨および会陰ウィンドウを超えて治療用変換器上の位置に至る距離および角度が提供された。角度および距離の測定を行って、変換器から前立腺の膀胱頚部（変換器表面から最も遠いターゲット）までのアクセスのし易さを判定した。治療用変換器に関する最適の外径（ＯＤ）および焦点距離を検体ごとに判定した。Ｆ値＝ＯＤ／焦点距離を検体ごとに計算し、表１に示すように平均値を判定した。
【００２６】
[00045]表１−平均寸法およびＦ値を含む死体検体データ（ｍｍ）
【００２７】
【表１】
2015506226.tif 000003
【００２８】
[00046]表１のデータに基づくと、一実施形態では、会陰ウィンドウを通した前立腺治療のために構成され最適化された丸形の治療用変換器の場合は、前立腺ヒストトリプシ超音波治療用変換器の最適の外径（ＯＤ）は１０５ｍｍ、焦点距離は１２０ｍｍとすることが可能である。その実験結果によれば、一部の実施形態では、超音波治療用変換器は、外径が約９０ｍｍから１２５ｍｍの範囲、焦点距離が１００ｍｍから１４０ｍｍの範囲、Ｆ値が１．００から１．４の範囲にあることが可能である。別の実施形態では、治療用変換器は、外径が約７５ｍｍから１５０ｍｍの範囲、焦点距離が８０ｍｍから１６０ｍｍの範囲、Ｆ値が０．５から１．５の範囲にあることが可能である。
【００２９】
[00047]ヒストトリプシ治療用変換器の作動可能な距離は、表面が平板形の場合は変換器の焦点から変換器表面上の最も近い点までの距離である。作動可能な距離ＬＷは、ピタゴラスの定理の計算を用いて計算される。
【００３０】
[00048]ＬＷ＝作動可能な距離
[00049]Ｌｆ＝焦点距離
[00050]ＬＯＤ＝全径
[00051]
【００３１】
【数１】
2015506226.tif 000004
【００３２】
[00052]上記で説明した焦点距離およびＯＤを用いると、
【００３３】
【数２】
2015506226.tif 000005
【００３４】
[00053]図２に、上記で説明したパラメータを例示する焦点距離ＦＬ、焦点ＦＳ、作動距離ＷＤ、ＯＤを有する、試料である変換器２００の概略を例示する。
[00054]それらの測定値および計算値に基づくと、焦点距離を変換器の直径で除算したものと定義される最適の変換器のＦ値は、１．１４に等しい。理想的には、Ｆ値は、焦点の手前の部分の加熱および意図しない組織のダメージを避けるように１．０以下とすることができる。直腸撮像用探触子の位置が丸形の治療用変換器の最適の位置に干渉することが確認された。本出願人は、実験によって、Ｆ値が高いと焦点の手前の部分が加熱され組織がダメージを受けるリスクを実質的に上昇させることを確認している。本開示の治療用変換器は、焦点の手前の部分を加熱することなく効率的に組織をホモジナイズするのにＦ値が十分に低くパルス列が効果的になるように設計されている。
【００３５】
[00055]別の実験では、第２の一連の死体検体２体を、治療用変換器の位置への干渉が少なくなる、より短い模型の撮像用探触子で撮像した。上記に示した第１の実験では、撮像用探触子は長さが３０ｃｍであった。第２の一連の実験では、１５ｃｍおよび２０ｃｍの撮像用探触子を評価した。Ｆ値＝ＯＤ／焦点距離を検体ごとに計算し、表２に示すように平均値を判定した。
【００３６】
[00056]表２
【００３７】
【表２】
2015506226.tif 000006
【００３８】
[00057]そのデータセットによるデータに基づくと、ＯＤは１２０ｍｍから１９０ｍｍの範囲（平均すると約１５５ｍｍ）にあることが可能であり、焦点距離は、前立腺治療のために設計した丸形の治療用変換器の場合は約９５ｍｍから１１０ｍｍの範囲にあることが可能である。この実施形態では、上記の等式を用いたそのシリーズの死体検体の測定値に基づいた最適の治療用変換器の設計の場合は、Ｆ値＝０．７０であり作動可能な距離は７８．３ｍｍである。
【００３９】
[00058]上記の各一連の死体検体の実験の結果は大きく異なる。その結果によれば、最初の実験では、撮像用探触子は、超音波治療用変換器の最適の位置決めに干渉してその位置を上に（前方に）押しやった。その結果、骨盤の骨が治療用変換器と干渉し、治療用変換器のＦ値が上昇した。それらの実験によれば、治療用変換器との撮像用変換器の干渉を最小限に抑えると、治療用変換器のＦ値を低くするのを助けることができる。
【００４０】
[00059]追加の実験において、前立腺の治療によく適したヒストトリプシ治療用変換器の最適の形状を判定するために、死体検体実験からのデータを３Ｄにモデリングした。
[00060]死体の研究によるＤＩＣＯＭファイルを、ＳｏｌｉｄＷｏｒｋｓ（３Ｄモデリングのための機械工学的ソフトウェアツール）に転送した。前立腺上の膀胱頚部点（治療用変換器から最も遠い点）から骨盤の骨のウィンドウを通した逆投影から理想的な変換器の形状を判定した。前立腺および撮像用探触子のモデルを、再構築した骨盤内に正確に位置決めした。前立腺の膀胱頚部のベース部から骨盤の骨を通して撮像用探触子の周りで、３Ｄモデル上に投影を行った。図３に、外側に前立腺から会陰ウィンドウを通して投影したときの３Ｄ映像３０４を例示する。３Ｄ映像に関して直腸撮像用探触子３０２の相互作用も示す。
【００４１】
[00061]３Ｄモデリングに基づくと、それらの投影に基づく治療用変換器の、場合によっては有利な形状の一つは概して三角形である。変換器は、経直腸式撮像用探触子、または撮像用探触子を収容するように底部の近くに開口部または切り抜き部を有するより大きい三角形の変換器の上に設置することもできる。３Ｄモデリングに基づいて、一実施形態では、表３に示すように、膀胱頚部から１０ｃｍ、１１ｃｍ、１２ｃｍ、および１３ｃｍの場合の、三角形の頂点から直腸撮像用探触子の表面までの測定値を得た。
【００４２】
[00062]表３
【００４３】
【表３】
2015506226.tif 000007
【００４４】
[00063]死体のＣＴスキャンからＤＩＣＯＭファイルを用いてＳｏｌｉｄＷｏｒｋｓのＣＡＤソフトウェアで第２の３Ｄモデルを構築した。別の変換器の形状は、前立腺上の膀胱頚部点から再構築した骨盤ウィンドウ（ｐｅｌｖｉｃ  ｗｉｎｄｏｗ）を通した逆投影に基づいて判定した。経直腸式撮像用探触子および前立腺のモデルを、再構築した解剖学的構造に挿入した。会陰ウィンドウを通した投影および開口部の理想的な形状に基づいて、変換器の一実施形態は、経直腸式撮像用探触子を設置するための開口部または切り抜き部を底辺に有する複雑な三角形を備える。
【００４５】
[00064]こうした複雑な三角形の超音波変換器の一例が図４に示されている。図示のように、変換器４０６は切り抜き部４０８を含むことができ、その切り抜き部４０８は、直腸撮像用探触子などの撮像用変換器を受容するようにサイズ設定および構成される。切り抜き部４０８は、変換器の外周部に沿ってまたはその近くに位置決めすることができる。図示の実施形態では、切り抜き部は変換器の広幅の端部に沿って位置決めされている。変換器は平板形の上面を含むこともでき、その上面は、変換器の細い端部４１０に沿って位置決めされ、１対の傾斜面４１２ａおよび４１２ｂにつながっている。それらの傾斜面は、変換器の下方のほぼ中間において、傾斜面よりもさらに外側に角度が付けられた第２の傾斜面４１４ａおよび４１４ｂにつながることができる。変換器はさらに、平板形の底面を含むことができ、その底面は、撮像用探触子のための開口部または切り抜き部４０８を含む。
【００４６】
[00065]図５に、３Ｄモデリングに基づいた別の可能な変換器の形状を例示する。その形状は、会陰ウィンドウを通して前立腺にヒストトリプシ治療を伝達するのに適している。図５に示すように、変換器５０６は比較的三角形の形状を含むことができ、経直腸式撮像用探触子を収容する切り抜き部４０８を変換器の底部に向かって有する。底面が湾曲した三角形の形状を示すが、任意の形状の底面（例えば、平板形など）を使用できることを理解されたい。図５の例では、切り抜き部５０８は変換器の外周部の近くに配設された円形の形状を含む。
【００４７】
[00066]上記で説明した複雑な形状を有する治療用変換器の作製には、現実的かつ経済的な因子を考慮に入れるべきである。現在市場で最も安く、最も一般的な超音波治療用変換器は、単純な丸形の形状である。それらの変換器は、典型的には、指定の口径および焦点距離を可能にするような形状の圧電性の材料から作製される。圧電性の構成素子は、多くの場合に、切断されてより小さい素子になって位相配列変換器を作り出す。位相配列変換器では、各素子が別個の増幅器駆動装置からの電気信号でパルス化され、それにより変換器の電子的な操縦が可能になる。ヒストトリプシ変換器に望ましい高い電圧を発生させるために、ヒストトリプシ治療システムの圧電性の変換器の素子はそれぞれ、発振ＬＣ整合ネットワークを通してインピーダンスの低いスイッチング増幅器と整合するように十分に高いインピーダンスを有しなければならない。インピーダンスの高い変換器素子は、典型的には、表面積が小さく、非侵襲性のヒストトリプシの用途のために必要な変換器の大きい表面には、口径（直径）が大きいこと、したがって、比較的多数の独立に駆動される素子が必要である。
【００４８】
[00067]治療用変換器を複数の素子で作製する方法の一つは、複数の丸形のディスクを使用することである。こうした作製方法を用いると、上記で説明した死体検体の投影による独特の形状により細密に近づく設計を作り出すことができる。図６Ａ〜図６Ｃに、３つの変換器の設計６００ａ、６００ｂ、および６００ｃをそれぞれ示す。それらは、撮像用探触子の切り抜き部または開口部を有する独特の三角形の形状に近づけるようにディスクから作製される。それらのディスクは最小の空間（例えば、ディスク間に１ｍｍの空間）で切り離されている。変換器６００ａは１２個の素子を備えることができ、変換器６００ｂは２４個の素子を備えることができ、変換器６００ｃは３０個の素子を備えることができる。変換器はそれぞれ、概して三角形または「ハート形」の設計を形成することができ、変換器の広幅の端部の外周部の近くに位置決めされた開口部または切り抜き部６０８をさらに含むことができる。本明細書で説明するように、「ハート形」の変換器は、概して、湾曲した細い端部と、その細い端部の反対側に広幅の端部を有し、切り抜き部または開口部の両側に湾曲した部分を２つ有することができる。表４に、上記で説明したモデリングに基づいた最適の寸法の治療用変換器を構築するのに必要な様々なサイズの素子の総数を記載する。
【００４９】
[00068]表４
【００５０】
【表４】
2015506226.tif 000008
【００５１】
[00069]丸形の素子の表面積の効率は約６６％〜７４％である。表面積の効率は、直腸撮像用探触子の配置に対応し骨盤の骨の干渉を最小限に抑える六角形の素子を複数用いることで改善することができる。各素子の表面積が８３６．２ｍｍ２、外側の長さ（ＯＬ）が３３．３９ｍｍである六角形の素子を１２個使った構成は、表５で説明するように１ｍｍの空間で素子を切り離すときには被覆効率が９４％である。
【００５２】
[00070]表５
【００５３】
【表５】
2015506226.tif 000009
【００５４】
[00071]図７に、変換器の設計の効率を向上させるように複数の六角形の素子７０６から作製された、同様の形状の変換器７００を例示する。特定の一実施形態では、変換器は、高さ約１３７ｍｍ、最も広い点で幅約１１８ｍｍとすることができる。丸形の圧電素子は、典型的には、六角形の素子よりも容易に入手可能であり、その結果、丸形の素子から作製された変換器は、図７の変換器から形成された六角形より現実的かつ安価である。
【００５５】
[00072]図８に、直腸撮像用探触子などの撮像用変換器８０２を受容する切り抜き部８０８を有する「ハート形」の設計の超音波治療用変換器８００のさらに別の実施形態を例示する。図８の変換器は、実質的に三角形であるが、製造中に丸形の変換器素子の使用に対応するように、開口部８０８の近くに湾曲した上部分８１６および湾曲した下側部分８１８を有する。
【００５６】
[00073]前立腺内の６箇所の位置から、円形の変換器（ディスク）に関するビームのブロックと比較して、上記で図４〜図８に示す形状の変換器に関するビームのブロック率を評価するために理論解析を行った。円形の変換器対特別仕様の形状の変換器（図４〜図８）のブロック率が表６および表７に示されている。
【００５７】
[00074]表６
【００５８】
【表６】
2015506226.tif 000010
【００５９】
[00075]表７
【００６０】
【表７】
2015506226.tif 000011
【００６１】
[00076]変換器の位置決めステージ（直線、パン／チルト、およびゴニオメータ）の様々な組み合わせを用いて各変換器について音響信号のブロックを行った。皮膚表面に最も近い位置１、２、および３では、変換器にも位置決めする方法にもブロックはない。より深い位置４、５、および６について、ブロックは大きい。
【００６２】
[00077]図１７Ａ〜図１７Ｇに、超音波治療用変換器１７００および超音波撮像用変換器１７０２を備えた超音波撮像システムの一実施形態を例示する。図１７Ａ〜図１７Ｆは移動機構１７２６も示す。その移動機構１７２６は、撮像用探触子に対する治療用変換器の直線、パン、およびチルトの動きを制御するように構成することができる。これらの動きは、撮像用探触子に対する治療用変換器の焦点Ｆの位置を調節する。図１７Ａおよび図１７Ｂ（側面図）には、撮像用変換器１７０２に対してそれぞれチルトダウンおよびチルトアップした治療用変換器１７００が示されている。図１７Ｃ、図１７Ｄ、および図１７Ｅ（上面図）には、撮像用変換器１７０２に対してそれぞれ直線方向に後方の位置、中間の範囲の位置、および前方の位置に治療用変換器１７００が示されている。図１７Ｆおよび図１７Ｇ（上面図）には、撮像用変換器１７０２に対してそれぞれ左および右にパンした治療用変換器１７００が示されている。超音波撮像用変換器１７００は、撮像用変換器を収容および受容するように変換器の外周部の近くに配設された切り欠きまたは開口部を含む、上記で説明した実施形態のうちのいずれかを含むことができる。
【００６３】
[00078]上記の表６および表７を参照すると、位置１は前立腺の正面部を治療するものと定義することができる（前立腺の正面部は図１１Ｂの深さＤ１によって示すことができる）。これは、（図１７Ｃに示すように）治療用変換器を後ろに平行移動させ、ほぼ「ゼロ」の位置にチルトおよびパンすることで実現することができる。位置２は、前立腺の中間の中心を治療するものと定義することができる。これは、（図１７Ｄに示すように）治療用変換器を中間の範囲に平行移動させ、ほぼ「ゼロ」の位置にチルトおよびパンすることで実現することができる。位置３は前立腺の中間の底部を治療するものと定義することができる。これは、治療用変換器を「ゼロ」の位置に平行移動させ、（図１７Ａに示すように）チルトダウンし、ほぼ「ゼロ」の位置にパンすることで実現することができる。位置４は前立腺中間の上部を治療するものと定義することができる。これは、治療用変換器を「ゼロ」の位置に平行移動し、（図１７Ｂに示すように）チルトアップし、ほぼ「ゼロ」の位置にパンすることで実現することができる。位置５は前立腺の中間の左／右を治療するものと定義することができる。これは、（図１７Ｆ〜図１７Ｇに示すように）左および右にパンすることで実現することができる。位置６は前立腺の背部を治療するものと定義することができる。これは、（図１７Ｅに示すように）治療用変換器を前方に平行移動させ、ほぼ「ゼロ」の位置にチルトおよびパンすることで実現することができる。
【００６４】
[00079]移動機構１７２６は、撮像用探触子に対する治療用変換器の直線およびパン／チルトの動きを制御するための自動化されたシステムまたは手動制御のシステムとすることができる。その機構には、例えば、治療用変換器を直線に前進および後退させ変換器の方向を上／下および左／右に操縦するように構成された歯車装置、モータ、ハードウェア、およびソフトウェアを含むことができる。多くの実施形態において、治療用変換器の切り抜き部または切り欠きにより、撮像用探触子による干渉なしにまたは撮像用探触子に接触することなしに、治療用変換器が移動することが可能になる。治療中には、６箇所の各位置を通して治療用変換器を制御することができ、前立腺全体を治療するために各位置にヒストトリプシ治療を適用することができる。
【００６５】
[00080]変換器を位置決めするために２つのゴニオメータを用いるときに最良の結果が生じる。その結果は、まず位置４、５、および６に関してハート形の変換器の場合により良くなる。ハート形の変換器の最良の結果は１つの傾斜したゴニオメータおよび２つの直線のステージを用いるときに生じることがやはり留意されよう。こうした結果は、通常の位置の数センチメートル下方（後方）にゴニオメータの回転軸をずらすことによって得られる。この測定結果はさらに、撮像用探触子の周りの切り抜き部の重要性を示す。この構成の場合はブロックが最小になる。
【００６６】
[00081]表８に、前立腺の６箇所の各位置に関して、円形の変換器と比較したときの送達される特別仕様の形状（三角形、ハート形など）の変換器の改善率を示す。
[00082]表８
【００６７】
【表８】
2015506226.tif 000012
【００６８】
[00083]図８の特別仕様のハート形の変換器は、図９に示すように、丸形の変換器素子９０６を備える超音波治療用変換器９００として複数の丸形の変換器素子を用いて作製することができる。図示のように、丸形の変換器素子は、変換器の広幅の端部に開口部または切り抜き部９０８を有するハート形の変換器を形成するように配置することができる。図９の素子が丸形で示されているが、一部の実施形態では、変換器素子は六角形とすることもできる。変換器のコストを削減し特別仕様の変換器を迅速に構築するために、変換器は小さい適切な形状の複数の素子を用いて構築することができる。一部の実施形態では、超音波治療用変換器の筐体が、変換器間の分離が最小限（例えば、約１ｍｍ以下）の直径３ｃｍの円形ディスクの配置を支持することができる。ディスクは、音エネルギーをターゲットに集束させるために凹形とすることもでき、同じ影響を実現するために平板形とすることもできる。平板形のディスクは、凹形の集束ディスクよりもずっと安いという利点を有する。平板形のディスクが用いられるときは、モールド成形したプラスチック材から作製されたレンズを変換器素子上に設置することができる。
【００６９】
[00084]Ｆ値（Ｆ値＝焦点距離／口径（直径））および（前立腺の深いターゲット領域に到達するのに必要な）焦点距離を最適化するためには、変換器の口径または直径を最大にしなければならない。円形の変換器により、上記で説明した特別仕様の設計よりも口径が大きくなる。円形の変換器を最適に位置決めするために、円形の変換器の底部に切り抜き部を作って直腸撮像用探触子を収容した。その切り抜き部により、変換器をより後方に位置決めして、前方の骨盤の骨による音響の伝達のブロックを最小限に抑えることが可能になる。骨のブロックは丸形の変換器の口径を効果的に低減するが、その効率は、前立腺内の任意の所与のターゲットに関して最大にされ、ヒストトリプシが骨のブロックによる収差に対応することができる。
【００７０】
[00085]別の実施形態では、円形の超音波治療用変換器１０００を、図１０Ａ〜図１０Ｃに示すように底部に直腸撮像用探触子のための切り抜き部１００８を有するように設計した。図１０Ａは変換器の４分の３の図を示し、図１０Ｂは変換器の側面図を示し、図１０Ｃは変換器の概略図を示す。特定の一実施形態では、変換器は直径が約１４０ｍｍ、変換器の有効な直径が１２５ｍｍとすることができる。焦点距離が約１３０ｍｍ、作動可能な距離が約１１ｃｍとすることができる。変換器は、切断および分割して表面積および入力インピーダンスの等しい別々の素子にされる、単一の圧電素子から作製することができる。例示の実施形態では、各素子の入力インピーダンスを実質的に増大させ各素子に入力する十分な電圧の発生を可能にするために３６個の変換器素子で変換器を設計した。口径の幅１２５ｍｍ、焦点距離１３０ｍｍの有効領域ＯＤに基づくとＦ値は１．０４である。切り抜き部を横切るすなわち垂直の寸法のＦ値は１．６９である。
【００７１】
[00086]上記に示した実験による死体検体からのコンピュータモデリングを用いて、前立腺の様々な領域の治療に関して骨による音響出力のブロック率を判定した。ＳｏｌｉｄＷｏｒｋｓを用いて骨盤の骨、尾骨、撮像用探触子、変換器、変換器の焦点の円錐、および前立腺をモデリングした。前立腺の形状は解剖学的モデルに基づいた。骨盤の骨、直腸撮像用探触子、および前立腺は、それらの解剖学的な位置に設置し、変換器は、以下で定義する前立腺の点の上に焦点を合わせるように操作した。骨による音響の伝達のブロックは、変換器の正面縁部によって画定される平面上に変換器の焦点を逆投影することによってモデリングした。骨によってブロックされる投影はどれもその投影から左にずれる。実効面積を変換器の有効面によって除算して実効面積率を計算した。図１１Ａおよび図１１Ｂに示すよう前立腺の３つの各深さＤ１（正面部）、Ｄ２（中間）、およびＤ３（背部）において、図１０Ａ〜図１０Ｃの変換器の場合のブロック率を４つの地点Ｌ１、Ｌ２、Ｌ３、およびＬ４で判定した。図１２は、前立腺モデル内の１２箇所の位置からの音響の伝達のブロックを示す表である。予期される通り、ターゲットとなる、変換器から最も遠い地点は、円形の変換器のモデルにおいて最大３５．１％のブロックを投影した。
【００７２】
[00087]別の実施形態では、図１０の円形の変換器を、焦点距離を１１０ｍｍに短縮し、口径を１３０ｍｍに増大させ、切り抜き部を約１５ｍｍだけ小さくすることによって修正した。その新しい変換器の設計は、図１３に超音波治療用変換器１３００として示されている。やはり、超音波治療用変換器は複数の個別の変換器素子を備えることができ、この例では、３６個の変換器素子を有する（図１３に個別に数字を付した）。表９は、図１０と図１３の２つの特別仕様の円形の変換器を比較する。こうした変化により、Ｆ値は主直径では１．０４から０．８５に、切り抜き部では１．６９から１．１２に低下した。図１３の修正した変換器は最適に動作し、７５０ＫＨｚで駆動した。低周波パルスは、高周波パルスよりも組織の減衰が低い。図１３の修正した特別仕様の治療用変換器は、個々の増幅器／整合ネットワーク回路によって駆動する、サイズが等しい３６個の素子を有する。
【００７３】
[00088]表９
【００７４】
【表９】
2015506226.tif 000013
【００７５】
[00089]図１３の変換器の設計における撮像用探触子の切り抜き部のサイズを縮小すると、撮像用探触子の設計の修正が必要になる。図１４を参照すると、直腸撮像用探触子１４０２が２つ示されている。上の撮像用探触子は、切り抜き部を貫通する撮像用探触子の中間セクション１４２０を含む。その中間セクション１４２０は、より小さい変換器の切り抜き部に対応し撮像用変換器に対して治療用変換器がパンおよびチルトの動きが可能になるように遠位セクション１４２２および近位セクション１４２４に比べて直径が小さい。細い区分を肛門に位置決めすることができ、より太い撮像用変換器のセクションを前立腺の後方の直腸に位置決めすることができる。図１４に示す下側の探触子は、細い部分のない標準的な撮像用探触子である。一部の実施形態では、近位セクションおよび遠位セクションは、１５ｍｍから２０ｍｍの範囲にある直径を有することができ、中間セクションは、６ｍｍから１２ｍｍの範囲にある直径を有することができる。これは、典型的には一様の約１８ｍｍの直径を有する図１４の下に示す標準的な探触子との比較である。
【００７６】
[00090]円形の変換器の設計を、熱による損傷を生み出さないデューティサイクルの閾値を判定するシミュレーションで切除した組織の研究で検証した。効果的に送達されるときにヒストトリプシは焦点の組織にまたは皮膚表面と焦点との間の組織に熱傷を負わせないことに留意することが重要である。熱による損傷は、長期間にわたって組織の温度が４３℃を超え変換器がヒストトリプシ以外の熱の影響を生み出すパラメータによって動作するときに起きる。熱による損傷は、高い温度で短い期間露出しても起こる。非熱的なデューティサイクル閾値は、Ｆ値が１．０４と１．６９の間の試験した変換器の場合はＦ値が０．８５と１．１２の間の試験した変換器の場合よりもずっと高いことが組織の研究により判定された。動物の研究によれば、Ｆ値の低い変換器はヒストトリプシのデューティサイクルの閾値がＦ値の高い変換器の約６倍高かった。
【００７７】
[00091]骨盤の骨を通る音響上のウィンドウが前立腺を治療するのに適切であることを検証するために修正した設計を死体の研究で試験した。骨盤の骨による音響信号のブロックが振幅を増大させることによって克服する必要があり、こうした音響エネルギーの増大は熱傷のリスクを上昇させるおそれがあることを考慮することも重要であった。例えば、音エネルギーブロック率が高い、会陰の開口が小さい患者は、音エネルギーをあまりブロックしない会陰の開口が大きい患者よりも大きい音響エネルギーを必要とする。
【００７８】
[00092]上記で説明した方法と同様にして５体の死体検体を試験した。撮像用探触子を直腸に設置し、それを使って、骨盤サイズおよび位置を判定するために前立腺を走査した。各検体について４つのデータセットを得た。それらのデータセットの１つは撮像用探触子がなく、３つは図１５に示すように３つの異なる治療用変換器の模型を適位置に有する。模型は、Ｆ値の低い順に列挙した以下の変換器を表す。
【００７９】
[00093]１．設計１（１４０ｍｍ直径、焦点距離＝１３０ｍｍ）
[00094]２．新しい設計２（１４５ｍｍ直径、焦点距離＝１２５ｍｍ）
[00095]３．新しい設計３（１４５ｍｍ直径、焦点距離＝１１０ｍｍ）
[00096]より短い焦点距離の治療用変換器に関する懸念は、前立腺のうちの膀胱頚部の隣の遠い方の端部にエネルギーを集束できるか否かである。この一連の研究および過去の研究による死体のデータに基づくと、焦点距離１１０ｍｍおよび対応する作業長さ８３ｍｍにより、患者の過半数の治療が可能になるはずである。この変換器の設計は、最も低いＦ値を有するので、最良の設計であると考えられ、前立腺の治療中の音響のビームのブロックの以下の分析の対象とする。
【００８０】
[00097]全ての検体についてＤＩＣＯＭ標準／フォーマットファイルを作成しディスクに保存した。次いで、それらのデータセットを加工しＳｏｌｉｄＷｏｒｋｓ、つまり３Ｄソフトウェアツールにインポートした。ＣＴ画像をガイドとして用いて撮像用探触子を基準として、各検体の前立腺を骨盤の骨の内部に設置した。以下の測定を行った。
【００８１】
[00098]前立腺の寸法；長さ、幅、および高さ
[00099]前立腺の最も遠い点と尾骨（皮膚）との距離
[000100]骨盤の骨の内部における前立腺の向き
[000101]撮像用探触子の外面と尾骨（皮膚）との距離
[000102]変換器の面から発出する音響信号がブロックされる率を判定するために、前立腺の体積を判定した後に、形状の分析を行うために７箇所の治療点を選択した。７箇所の治療点は、前立腺の背部、底部、中間の上部、中間の右、中間の中心、中間の左、および正面部であった。
【００８２】
[000103]図１６に示す表に示すように検体ごとの個々の７点についてのブロック率の結果である。前立腺の正面部の点にはどの検体にもブロックがなかったことに留意されたい。中間の中心および中間の底部の点に関しても、同じことが多かれ少なかれ言えた。中間の底部の点の結果は、骨のブロックが骨のウィンドウ（口径は「Ａ」字のような形状である）の上側の部分に向かって悪くなりその点が変換器を下に傾けることによってターゲットになることによるものである。その他の点は全て、平均でブロック率がほぼ９％と１５％の間であり、前立腺の「背部」の点（膀胱頚部との境目の地点）で最悪になる。それらのデータから、対象ごとに差が大きいことに留意することも興味深い。検体２はブロックの平均が２．９％（７点の平均値）であるが、検体５はブロックの平均が１２．２％である。それらは、その試料からの２つの極端な値を表す。全ての点および全ての検体に関する全体の平均値は７．７％であった。これは、前に論じたブロック値２０％をはるかに下回っており、したがって、残りのデータ（代替の変換器の設計の模型を用いて得た画像）の分析は不要と考えられた。
【００８３】
[000104]本開示は、ヒストトリプシまたは任意の形態の治療用の超音波によるＢＰＨまたは前立腺癌の治療のために骨の口径のサイズを判定することを目的として、砕石位においてヒトの死体の対象を撮像した今までに類を見ないものである。この研究は、５体の死体検体にＢＰＨまたは前立腺癌の治療をするために位置決めされた、Ｈｉｓｔｏｓｏｎｉｃｓ社の（好ましくは再設計された）超音波撮像用探触子および治療用変換器を含んでいた。この研究からのデータは、ＢＰＨまたは癌に関する前立腺の治療中に予期されるべきブロックの量を推定した。そのデータを用いて、音響の伝達口径を低減し効果的にＦ値を増大させることになる、所与の予期される骨のブロックを使用するのに安全なヒストトリプシパラメータを判定した。
【００８４】
[000105]本発明に関連するさらなる詳細については、材料および製造技術は当業者のレベル内で使用することができる。一般または論理的に用いられるさらなる機能に関して、同じことが本発明の方法に基づく態様に当てはまる。さらに、本発明の上述の変形形態の任意のどの特性も独立にまたは本明細書で説明した任意の１つまたは複数の特性と組み合わせて記載および請求できることが企図される。同様に、単数項目の言及は同じ項目が複数存在する可能性を含む。より具体的には、本明細書および添付の特許請求の範囲では、単数形「ａ」、「ａｎｄ」、「ｓａｉｄ」、および「ｔｈｅ」は、別段の明確な記述がない限り、複数の指示対象を含む。特許請求の範囲が任意の要素を除外するように起草できることがさらに留意されよう。したがって、この記述は、特許請求の範囲の要素に関連した「ｓｏｌｅｌｙ」、「ｏｎｌｙ」などの排他的用語の使用、または「ｎｅｇａｔｉｖｅ（否定的な）」制限の使用に対する前提として機能するものである。本明細書で別段の定義がない限り、本明細書で用いる全ての技術用語および科学用語は、本発明が属する分野の当業者が共通に理解するのと同じ意味を有する。本発明の範囲は、本明細書によって限定されることはなく、使用される特許請求の範囲の用語の一般的な意味によってのみ限定される。
【図１】
2015506226.tif 000014
【図２】
2015506226.tif 000015
【図３】
2015506226.tif 000016
【図４】
2015506226.tif 000017
【図５】
2015506226.tif 000018
【図６】
2015506226.tif 000019
【図７】
2015506226.tif 000020
【図８】
2015506226.tif 000021
【図９】
2015506226.tif 000022
【図１０Ａ】
2015506226.tif 000023
【図１０Ｂ】
2015506226.tif 000024
【図１０Ｃ】
2015506226.tif 000025
【図１１Ａ】
2015506226.tif 000026
【図１１Ｂ】
2015506226.tif 000027
【図１２】
2015506226.tif 000028
【図１３】
2015506226.tif 000029
【図１４】
2015506226.tif 000030
【図１５】
2015506226.tif 000031
【図１６】
2015506226.tif 000032
【図１７Ａ】
2015506226.tif 000033
【図１７Ｂ】
2015506226.tif 000034
【図１７Ｃ】
2015506226.tif 000035
【図１７Ｄ】
2015506226.tif 000036
【図１７Ｅ】
2015506226.tif 000037
【図１７Ｆ】
2015506226.tif 000038
【図１７Ｇ】
2015506226.tif 000039
【国際調査報告】
2015506226.tif 000040